(57)【要約】【課題】足首に対して急に捻れが作用することなく、しかも足の踵を内側へ曲げる機能を有するサンダルを提供する。【解決手段】緩衝性と復元性があり、一定以上の力が加えられると（例えばサンダルを履いて起立したり歩行したりすると）緩やかに変形し、力が加わらなくなると緩やかに原形に復帰する材料を用いた緩衝スペーサをサンダルの踵の上皮と踵台との間に装填することにより、サンダルを履くと重みにより圧縮されて踵の部分の内側が緩やかに下がるようにした。【選択図】        図１
2004216081.tif 000002
【特許請求の範囲】
【請求項１】
サンダル台が合成ゴムや合成樹脂などの適度な弾力性と柔軟性を有する材料により形成されたサンダルの踵の部分の上皮と踵台との間に、緩衝性と復元性があり、上方から一定以上の圧迫力が加えられると緩やかに変形して薄くなり、その力が加わらなくなると緩やかに原形に復帰する材料を用いて形成した緩衝スペーサを装填したものであり、この緩衝スペーサは内側の方が厚く形成されていて、踵の部分に上方からの圧迫力が加えられるとサンダル台のその部分の上面が内側へ向かって下傾するように構成されていることを特徴とするサンダル。
【請求項２】
サンダル台が緩衝性と復元性があり、上方から一定以上の圧迫力が加えられると緩やかに変形して薄くなり、その力が加わらなくなると緩やかに原形に復帰する材料を用いて形成されたサンダルの踵の部分の上皮と踵台との間に、木材や適度な弾力性と柔軟性を有する合成ゴムや合成樹脂などの、上記サンダル台の材料よりも硬くて変形しにくい材料により形成した耐圧スペーサを装填したものであり、この耐圧スペーサは外側の方が厚く形成されていて、踵の部分に上方からの圧迫力が加えられるとサンダル台のその部分の上面が内側へ向かって下傾するように構成されていることを特徴とするサンダル。
【発明の詳細な説明】
【０００１】
【発明が属する技術分野】
本発明は、サンダル台の踵の部分が内側へ傾斜するようにしたサンダルに関するものである。
【０００２】
【従来の技術】
日本人には脚の膝関節の部分が外方へ開いた、所謂Ｏ脚の人が比較的多い。
Ｏ脚の人は、姿勢がスマートでないだけでなく、長時間の歩行や走行には若干の無理があるし、膝や腰を痛めやすい傾向もある。
そのためこのような人は、運動量が少なくなりがちになる。  殊に年輩の人は運動不足による身体の機能が低下するなどの問題も生じることゝなる。
【０００３】
【発明が解決しようとする課題】
Ｏ脚であることにより生じる不具合を解消することを目的として従来は、「Ｏ脚を矯正するサンダル」が試みられた。
このサンダルは、サンダル台の踵の部分を予め内側へ傾斜させて形成したものである。
Ｏ脚の人にとっては通常のサンダルでは足首が外方へ開き傾向になるため不安定であるのに対してこのサンダルを履くと、足の踵が傾斜面に乗った状態となり、必然的に内側へ曲げられる力を受けることゝなる。その結果として膝が中央へ寄る傾向が生じるので、歩行が安定するばかりでなく、このもの自体は「Ｏ脚を矯正する」機能を有してはいる。
ところがこのサンダルでは履いた瞬間から足の踵が内側へ曲げられるので、足首に対して急に捻れが作用することゝなり、Ｏ脚を矯正する効果が得られないばかりでなく、却って足首を痛める、と云う問題があった。
【０００４】
【課題を解決するための手段】
踵の部分を内側へ傾斜させたサンダルにはＯ脚を矯正する機能があることに鑑み、本発明は踵の部分に一定以上の力が加えられるとその部分が内側へ向かって緩やかに下傾して、足首に対して急に捻れが作用することなく、しかも足の踵を内側へ曲げる機能を有するサンダルを提供することを目的としている。
【０００５】
【発明の実施の形態】
本発明に係るサンダルは、不使用時には通常のサンダルと同一の形状をしており、踵の部分に一定以上の力が加えられると（例えばサンダルを履いて起立したり歩行したりすると）緩やかに、しかも内側の方がより多く下降して内側へ向かって下傾し、その力が加わらなくなると緩やかに原形に復帰するように形成されている。
【０００６】
【実施例】
以下、本発明に係るサンダルの一実施例を図面に基づいて具体的に説明する。
図１は一定以上の力が加えられると圧縮される材料を用いて形成されたスペーサを踵の部分に挿填したサンダルの一例を示している。
このサンダルは、このもの自体は通常のこの種のサンダルと同様であって、主要部分はサンダル台１とバンド２とから成る。また、サンダル台１は踵の部分に踵台３が形成されていてこの部分が高くなっている。
サンダル台１は、通常のサンダルのサンダル台と同様の合成ゴムや合成樹脂などの適度な弾力性と柔軟性を有する材料により形成されており、その上面は鞣し革や合成皮革などの丈夫で柔軟なシート材を用いて形成された上皮４により覆われている。
この実施例ではサンダルは、サンダル台１の踵の部分の内側の一部が緩衝スペーサ５により構成されている。
この緩衝スペーサ５は、発砲ポリウレタン樹脂などの、上方から一定以上の力が加えられると（例えばサンダルを履いて起立したり歩行したりすると）、その圧迫力により０．５秒前後程度の速度で圧縮されて薄くなり、その圧迫力が加わらなくなると緩やかに原形に復帰する材料を用い形成されていて、サンダルを履いて起立したりすると踵の部分の上面が緩やかに下がるようになっている。
尚、緩衝スペーサ５は外側から内側へ向かって厚く形成されており、これにより内側の方の圧縮量が多くなっていて、圧迫力が加えられると、換言すればサンダルを履いて起立してから踵の部分の下降が始まり、やがて内側へ向かって緩衝スペーサ５の厚みに応じて下傾するようになっている。
【０００７】
図２はサンダル台が一定以上の力が加えられると圧縮される材料を用いて形成されており、その踵の部分にそれよりも圧縮されにくい材料により形成されたスペーサを挿填したサンダルの一例を示している。
このサンダルは、サンダル台１が緩衝性と復元性があり、上方から一定以上の圧迫力が加えられると緩やかに変形して薄くなり、その力が加わらなくなると緩やかに原形に復帰する材料を用いて形成された中間材１１と、それより硬くて変形しにくい材料を用いて形成された底板１２から成っていて、全体として通常のサンダルのサンダル台と同様の強さになっている。また、その踵の部分の外側の一部が耐圧スペーサ６により構成されている。
この耐圧スペーサ６は、木材や通常のサンダルのサンダル台と同様の適度な弾力性と柔軟性を有する合成ゴムや合成樹脂などの、中間材１１よりも硬くて変形しにくい材料により形成されており外側の方が厚く形成されていて、踵の部分に加えられる圧迫力に対して外側の方が圧縮量が小さくて、この部分に圧迫力が加えられると、換言すればサンダルを履くと、踵の部分は内側がより多く下降し、内側へ向かって下傾する。
【０００８】
【発明の効果】
以上説明したように本発明のサンダルは、サンダル台の踵の部分の一部が、上方から一定以上の力が加えられるとその圧迫力により緩やかな速度で圧縮されて薄くなり、その圧迫力が加わらなくなると緩やかに原形に復帰する材料を用い形成された緩衝スペーサにより構成されているので、サンダルを履くとこれが緩衝材として機能し、足首に対して保護効果が発揮される。
また、Ｏ脚の人にとっては通常のサンダルでは足首が外方へ開き傾向になるため起立や歩行が不安定であるのに対してこのサンダル踵の部分が内側へ向かって下傾するので、足の踵が傾斜面に乗った状態となり、必然的に内側へ曲げられる力を受けることゝなる。その結果として膝が中央へ寄る傾向が生じるので、歩行が安定する。
殊に、サンダルを履いて起立してから踵の部分の下降が始まり、次第に内側へ向かって下傾するので、足首に対して急に捻れが作用することなく、しかも足の踵が無理なく内側へ曲げられて、無意識のうちにＯ脚が矯正される状態に維持されるのである。
【図面の簡単な説明】
【図１】本発明に係るサンダル一例を示す一部切欠斜視図である。
【図２】本発明に係るサンダルの他の一例を示す一部切欠斜視図である。
【符号の説明】
１    サンダル台
２    バンド
３    踵台
４    上皮
５    緩衝スペーサ
６    耐圧スペーサ
【図１】
2004216081.tif 000003
【図２】
2004216081.tif 000004